(57)【要約】【課題】  デジタルカメラに新たに機能を加えることなく、保存後に人手による画像データの振り分けや画像の向きの修正を必要としない画像データ保存処理を実現する。【解決手段】  画像データ処理装置２０にはユーザが入力部２２より入力した保存先定義データ２４が保管されており、保存処理部２５では、保存先定義データ２４を参照して、デジタルカメラ１０から取得もしくは画像データ１３とともに読み出したユーザ情報１４に基づいて画像データ１３の保存先を決定して保存する。また、画像データ１３の付属情報を参照して、必要に応じて画像を回転させ、正しい上下方向に修正した後に保存する。【選択図】  図２
2005348256.tif 000002
【特許請求の範囲】
【請求項１】
画像記録装置との間でデータ通信を行うデータ通信機能を有し、前記画像記録装置の画像データを引き取り保存する画像データ処理装置において、前記画像データのユーザ情報を取得するユーザ情報取得手段と、取得したユーザ情報別に前記画像データを保存手段に保存する保存処理手段とを備えたことを特徴とする画像データ処理装置。
【請求項２】
画像記録装置との間でデータ通信を行うデータ通信機能を有し、前記画像記録装置の画像データを引き取り保存する画像データ処理装置において、前記画像データの付属情報から所定の分類情報を取得する分類情報取得手段と、前記分類情報に対応して画像データの保存先を定義した保存先定義データ記憶手段と、前記画像データを前記取得した分類情報別に前記保存先定義データを参照して保存手段に保存する保存処理手段とを備えたことを特徴とする画像データ処理装置。
【請求項３】
画像記録装置との間でデータ通信を行うデータ通信機能を有し、前記画像記録装置の画像データを引き取り保存する画像データ処理装置において、前記画像データの画像の上下向きを取得する画像方向取得手段と、前記画像の上下の向きに応じて画像データを所定の方向に揃えるように回転させる画像回転手段と、前記回転させた画像データを保存手段に保存する保存処理手段とを備えたことを特徴とする画像データ処理装置。
【請求項４】
画像記録装置の画像データを引き取り保存する画像データ処理方法において、前記画像データのユーザ情報を取得するユーザ情報取得ステップと、取得したユーザ情報別に前記画像データを保存する保存処理ステップとを備えたことを特徴とする画像データ処理方法。
【請求項５】
画像記録装置の画像データを引き取り保存する画像データ処理方法において、前記画像データの付属情報から所定の分類情報を取得する分類情報取得ステップと、前記取得した分類情報別に前記分類情報に対応して画像データの保存先を定義した保存先定義データを参照して保存先を決定する保存先決定ステップと、決定した保存先に画像データを保存する保存処理ステップとを備えたことを特徴とする画像データ処理方法。
【請求項６】
画像記録装置の画像データを引き取り保存する画像データ処理方法において、前記画像データの画像の上下向きを取得する画像方向取得ステップと、前記画像の上下の向きに応じて画像データを所定の方向に揃えるように回転させる画像回転ステップと、前記回転させた画像データを保存する保存処理ステップとを備えたことを特徴とする画像データ処理方法。
【請求項７】
コンピュータを、請求項１、２または３に記載の画像データ処理装置として機能させるためのプログラム。
【請求項８】
請求項７に記載のプログラムを記録したコンピュータ読み取り可能な記録媒体。
【発明の詳細な説明】
【技術分野】
【０００１】
本発明は、デジタルカメラやカメラ付携帯電話機等の画像記録装置で撮影した画像データの処理を行う画像データ処理装置、画像データ処理方法、及び画像データ処理方法のプログラムと、プログラムが記録された記録媒体に関するものである。
【背景技術】
【０００２】
デジタルカメラは、ＣＣＤなどの撮像素子に一時記憶した画像データを内蔵されているフラッシュメモリ等に蓄積するようにされる。このようなデジタルカメラはＵＳＢ（Universal Serial Bus）を介してパーソナルコンピュータ（以下、ＰＣと記す）と接続できるように構成されている。そして、デジタルカメラをＰＣに接続したときに、自動的に画像データを引き取り、使用するＰＣの記憶媒体（大抵の場合はハードディスク）に記録することは、既存のアプリケーションでも可能とされる。また、既存のアプリケーションでは、引き取ったそれぞれの画像データを、撮影日付をフォルダ名にしたフォルダへ保存するのが一般的である。デジタルカメラに保存場所のフォルダを指定することができるものもある（例えば特許文献１参照）。
また、ＰＣへの保存後の利便性を向上するため、撮影時のデジタルカメラの向きが水平か垂直かを検知して、撮影した画像データをデジタルカメラ内に記録する際に、画像の上下を修正して記録する技術も提案されている（例えば特許文献２参照）。
なお、現在のデジタルカメラでは、デジタルカメラから引き取られる画像データには画像データ以外に、使用されたデジタルカメラのメーカ名や、作者（カメラの所有者）名、撮影日時等、さまざまな付属情報が含まれるＥｘｉｆ形式の画像データが使用されている。図９および図１０は画像データに含まれる付属情報の例を示す図である。この付属情報は、ＪＥＩＤＡのデジタルカメラ用の画像フォーマット規格（Ｅｘｉｆ）からの抜粋である。
【特許文献１】特開２００２−１７６６１５公報
【特許文献２】特開平１１−２８４８９７号公報
【発明の開示】
【発明が解決しようとする課題】
【０００３】
しかしながら、特許文献１の従来技術では、画像データの引き取り時に保存先が日付情報等で決まっている場合、複数のユーザが撮影した画像データをまとめて引き取って管理したいとき、複数ユーザの撮影した画像データが同一の保存場所（日付をフォルダ名にしたフォルダ）に保存されてしまう。この場合、引き取り後に保存した画像データをＰＣ内で振り分ける作業が発生する。また、特許文献１の方法では、保存場所データを受信し記録する処理をカメラ側の機能に追加する必要があり、ユーザが保存場所データをカメラ側に送信する操作を行う必要もある。
さらに、特許文献２の従来技術では、画像データを記録する際に画像方向を修正する処理がデジタルカメラに必要となり、画像記録が終わるまでに多少でもタイムラグが発生する。また、画像データの方向修正を行わずそのまま保存して、表示の時に画像を回転して表示する方法もあるが、この場合は、ユーザが画像を確認して表示用アプリケーションに回転処理を指示するか、表示用アプリケーションが画像データに付属されている画像方向の情報を参照して画像回転処理を行う必要があり、画像を取り込む度にタイムラグが発生してしまう。
本発明は、上述した実情を考慮してなされたものであって、デジタルカメラ等の画像記録装置に新たに機能を加えることなく、保存後に人手による画像データの振り分けや画像の向きの修正を必要としない画像データ保存処理を実現することを目的とする。
【課題を解決するための手段】
【０００４】
上記の課題を解決するために、請求項１に記載の発明は、画像記録装置との間でデータ通信を行うデータ通信機能を有し、前記画像記録装置の画像データを引き取り保存する画像データ処理装置において、前記画像データのユーザ情報を取得するユーザ情報取得手段と、取得したユーザ情報別に前記画像データを保存手段に保存する保存処理手段とを備えたことを特徴とする。
また請求項２は、画像記録装置との間でデータ通信を行うデータ通信機能を有し、前記画像記録装置の画像データを引き取り保存する画像データ処理装置において、前記画像データの付属情報から所定の分類情報を取得する分類情報取得手段と、前記分類情報に対応して画像データの保存先を定義した保存先定義データ記憶手段と、前記画像データを前記取得した分類情報別に前記保存先定義データを参照して保存手段に保存する保存処理手段とを備えたことを特徴とする。
また請求項３は、画像記録装置との間でデータ通信を行うデータ通信機能を有し、前記画像記録装置の画像データを引き取り保存する画像データ処理装置において、前記画像データの画像の上下向きを取得する画像方向取得手段と、前記画像の上下の向きに応じて画像データを所定の方向に揃えるように回転させる画像回転手段と、前記回転させた画像データを保存手段に保存する保存処理手段とを備えたことを特徴とする。
また請求項４は、画像記録装置の画像データを引き取り保存する画像データ処理方法において、前記画像データのユーザ情報を取得するユーザ情報取得ステップと、取得したユーザ情報別に前記画像データを保存する保存処理ステップとを備えたことを特徴とする。
また請求項５は、画像記録装置の画像データを引き取り保存する画像データ処理方法において、前記画像データの付属情報から所定の分類情報を取得する分類情報取得ステップと、前記取得した分類情報別に前記分類情報に対応して画像データの保存先を定義した保存先定義データを参照して保存先を決定する保存先決定ステップと、決定した保存先に画像データを保存する保存処理ステップとを備えたことを特徴とする。
また請求項６は、画像記録装置の画像データを引き取り保存する画像データ処理方法において、前記画像データの画像の上下向きを取得する画像方向取得ステップと、前記画像の上下の向きに応じて画像データを所定の方向に揃えるように回転させる画像回転ステップと、前記回転させた画像データを保存する保存処理ステップとを備えたことを特徴とする。
また請求項７は、コンピュータを、請求項１、２または３に記載の画像データ処理装置として機能させるためのプログラムであることを特徴とする。
また請求項８は、請求項７に記載のプログラムを記録したコンピュータ読み取り可能な記録媒体であることを特徴とする。
【発明の効果】
【０００５】
本発明によれば、複数のユーザが撮影した画像データは、ユーザ別に保存されて、従来のようにユーザ別に振り分ける必要がなくなる。
また、保存先定義データで分類したように自動的に画像データを振り分けることができる。また、保存先定義データにＥｘｉｆにある項目を使って任意の定義が行えるので、多様な振り分けが可能となる。
さらに、画像データの上下が正しい向きに揃い、保存後に手作業で画像の回転処理を行う必要がなくなる。
【発明を実施するための最良の形態】
【０００６】
以下、図面を参照して、本発明の実施形態を詳細に説明する。
図１は、本発明のシステム構成を示す図である。ユーザ情報を設定可能なデジタルカメラ１０ａと、デジタルカメラ（以下、ＤＣと記す）１０ａで撮影した画像を引き取る画像データ処理装置２０とをＵＳＢ（Universal Serial Bus）などのコネクタケーブル３０で接続する。コネクタケーブル３０を接続した時点で、画像データ処理装置２０の画像データ引き取りプログラムが起動し、画像データの引き取り処理が開始される。ＤＣ１０ａが蓄積しているすべての画像データが読み出された時点で引き取り処理は終了する。なお、図１で示すように、コネクタケーブル３０に別のＤＣ１０ｎを接続すれば、接続されたＤＣｎが蓄積している画像データも読み出され、画像データ処理装置２０に保管されることになる。
なお、画像データ処理装置２０は、ＵＳＢインタフェース等のデータ転送インタフェースを備えた通常のパーソナルコンピュータに、画像データ引き取り用のプログラムを実行させて実現するもので、ＣＰＵをはじめ、ＲＡＭ、ＲＯＭ、ハードディスク等の記憶装置、データ入力のための入力装置、処理状況や処理結果を表示するためのディスプレイ装置等を備えている。
【０００７】
図２は、本発明にかかるＤＣ１０側の機能構成と、画像データ処理装置２０側の画像データ引き取りプログラムのモジュール構成を示すブロック図である。撮影部１１で撮影して得られた画像データは、データ処理部１２で色調整、データ圧縮等の処理を施され、さらに撮影時の絞り、シャッター速度、ズーム倍率、解像度、画像方向、日付等の情報を付加されて画像データとして記録媒体１３（例えば不揮発性メモリ）に蓄積される。また、データ処理部１２は、画像データ処理装置２０から通信Ｉ／Ｆ部１５を介してのデータ要求等にも対応する。なお、ユーザ情報１４は、図示しないＤＣ１０の入力部から設定される撮影時の解像度、モニタの明るさ、省電力モードなどの設定情報とともに入力された、カメラの所有者あるいは撮影者の名前等の情報である。
画像データ処理装置２０側では、画像データ引き取りプログラムが起動すると、データ取得部２２が通信Ｉ／Ｆ部２１を介してＤＣ１０に画像データ取得要求を出す。ＤＣ１０のデータ処理部１２は要求を受け取ると、記録媒体１３に記録してある画像データを通信Ｉ／Ｆ部１５を介して画像データ処理装置２０に転送する。ＤＣ１０のユーザ情報１４を使用する場合には、データ取得部２２が通信Ｉ／Ｆ部２１を介してＤＣ１０にユーザ情報取得要求を出し、要求を受け取ったＤＣ１０のデータ処理部１２は記録しているユーザ情報１４を読み出して、画像データ処理装置２０に通信Ｉ／Ｆ部１５を介して転送する。一方、引き取った画像データの付属情報に記録されているユーザ情報１４を使用する場合には、引き取った画像データの付属情報からデータ取得部２２がユーザ情報１４を読み出す。
また、画像データ処理装置２０にはユーザが入力部２３より入力した保存先定義データ２４が保管されている。画像データ処理装置２０の保存処理部２５では、保存先定義データ２４と、ＤＣ１０から取得もしくは画像データから読み出したユーザ情報１４より保存先を決定して、画像データ処理装置２０の画像データ用の記録媒体２６に保存先の場所（フォルダ）を作成して、ＤＣ１０から引き取った画像データと付属情報とを保存する。
【０００８】
次に、以上のように構成した本実施の形態の画像データ処理装置の動作を、図面を参照して説明する。図３は、画像データ引き取りプログラムの処理を示すフロー図である。ＵＳＢインタフェースを介してＤＣより画像データを取得したら（ステップ３０１）、ユーザ情報を解析する（ステップ３０２）。ユーザ情報はＤＣに記録されているか、取得した画像データの付属情報として取得できる。ユーザ情報からユーザが確定したら、保存先定義データを参照して、保存先を決定する（ステップ３０３）。保存先定義データの例を図４に示す。保存先定義データには、ユーザに対応する固有のフォルダ名が保存先に定義してある。従って、ユーザ情報から保存先のフォルダ名が確定したら、確定したフォルダが既に存在していれば（ステップ３０４がＹＥＳ）、そのフォルダに画像データを保存する（ステップ３０５）。もし、確定したフォルダが存在していなければ（ステップ３０４がＮＯ）、その名前のフォルダを作成して（ステップ３０６）、作成したフォルダに画像データを保存する（ステップ３０５）。以上の処理をＤＣから引き取ったすべての画像データについて行う。その結果、複数のユーザが撮影した画像データは、ユーザ別に保存されて、従来のようにユーザ別に振り分ける必要がなくなる。
図５は、他の実施例を示す画像データ引き取りプログラムの処理フロー図である。本実施例では、保存先定義データをユーザ情報の替わりに図６に示すような位置情報（カメラの水平／垂直）、機種、撮影モード（人物、遠景、夜景等）などで定義したものである。図３に示した実施例と異なる処理の部分に限って説明すると、ステップ５０２では、画像データの付属情報を解析して、保存先定義データを参照して（ステップ５０３）、保存先を決定する。その結果、保存先定義データで分類したように自動的に画像データを振り分けることができる。また、保存先定義データにＥｘｉｆにある項目を使って任意の定義が行えるので、多様な振り分けが可能となる。
【０００９】
図７は、画像データ処理装置２０の他の実施例を示す構成図である。これまでの実施例（図２）と異なる点は、画像データ処理装置２０に画像処理部２７を追加した点である。従って、同じ機能には図２と同じ符号が付してある。
ＤＣ１０から画像データを引き取るまでの処理はこれまでの実施例と同様である。その後、引き取った画像データを画像データ処理装置のデータ取得部２２から画像処理部２７に渡し、画像処理部２７では渡された画像データの付属情報を参照して、付属情報の中の画像方向情報により引き取った画像データの回転処理を行う。そして、画像方向を修正した画像データを保存処理部２５へ渡し、保存処理部２５は一定の保存ルール（保存先定義データ２４）に基づき画像データを記録媒体２６に保存する。
図８は、図７で説明した画像データ処理装置２０の処理を説明するフロー図である。
ＵＳＢインタフェースを介してＤＣより画像データを取得したら（ステップ８０１）、画像データの付属情報を解析する（ステップ８０２）。ここでは、付属情報のうち画像方向を例に説明する。画像方向の付属情報を抽出したら（ステップ８０３）、画像の回転が必要かを判定する（ステップ８０４）。カメラが水平で撮影された画像には回転の必要はないが（ステップ８０４がＮＯ）、垂直の場合は画像データを時計回りあるいは半時計回りに（付属情報により）９０度回転する（ステップ８０５）。次に、保存先定義データを参照して、保存先のフォルダを決定する（ステップ８０６）。保存先のフォルダ名が決定したら、決定したフォルダが既に存在していれば（ステップ３０７がＹＥＳ）、そのフォルダに画像データを保存する（ステップ８０８）。もし、決定したフォルダが存在していなければ（ステップ８０７がＮＯ）、その名前のフォルダを作成して（ステップ８０９）、作成したフォルダに画像データを保存する（ステップ８０８）。その結果、画像データの上下が正しい向きに揃い、保存後に手作業で画像の回転処理を行う必要がなくなる。
【図面の簡単な説明】
【００１０】
【図１】本発明のシステム構成を示す図である。
【図２】本発明にかかるデジタルカメラおよび画像データ処理装置の要部構成を示すブロック図である。
【図３】画像データ引き取りプログラムの処理を示すフロー図である。
【図４】保存先定義データの例を示す図である。
【図５】他の実施例を示す画像データ引き取りプログラムの処理フロー図である。
【図６】保存先定義データの他の例を示す図である。
【図７】画像データ処理装置の他の実施例を示す構成図である。
【図８】他の実施例を示す画像データ引き取りプログラムの処理フロー図である。
【図９】画像データに含まれる付属情報の例を示す図である。
【図１０】画像データに含まれる付属情報の例を示す図である。
【符号の説明】
【００１１】
１０  デジタルカメラ（ＤＣ）、１１  撮影部、１２  データ処理部、１３、２６  記録媒体、１４  ユーザ情報、１５、２１  通信Ｉ／Ｆ部、２０  画像データ処理装置、２２  データ取得部、２３  入力部、２４  保存先定義データ、２５  保存処理部、２７  画像処理部、３０  コネクタケーブル
【図１】
2005348256.tif 000003
【図２】
2005348256.tif 000004
【図３】
2005348256.tif 000005
【図４】
2005348256.tif 000006
【図５】
2005348256.tif 000007
【図６】
2005348256.tif 000008
【図７】
2005348256.tif 000009
【図８】
2005348256.tif 000010
【図９】
2005348256.tif 000011
【図１０】
2005348256.tif 000012